【事件の表示】
　平成１０年商標登録願第２３４８５号拒絶査定に対する審判事件について、次のとおり審決する。
【結　論】
　原査定を取り消す。
　本願商標は、登録すべきものとする。
【理　由】
１．本願商標
　本願商標は、「ＳＰＥＸ」の欧文字（標準文字）を書してなり、願書記載のとおりの商品・役務を指定商品・指定役務として、平成１０年３月１９日に登録出願されたものであるが、その後、指定商品・指定役務については、同１２年１１月２４日付けの手続補正書において、第３７類「建築設備の運転，自転車の修理，自動車の修理又は整備，二輪自動車の修理又は整備，医療用機械器具の修理又は保守，映写機の修理又は保守，化学機械器具の修理又は保守，火災報知機の修理又は保守，ガソリンステーション用装置の修理又は保守，金属加工機械器具の修理又は保守，工業用炉の修理又は保守，栽培機械器具の修理又は保守，自動販売機の修理又は保守，写真機械器具の修理又は保守，浄水装置の修理又は保守，事務用機械器具の修理又は保守，製材用・木工用又は合板用の機械器具の修理又は保守，計測機械器具・分析機械器具・その他の測定機械器具の修理又は保守，暖冷房装置の修理又は保守，電子計算機（中央処理装置及び電子計算機用プログラムを記憶させた電子回路・磁気ディスクその他の周辺機器を含む。）の修理又は保守，廃棄物圧縮装置の修理又は保守，廃棄物破砕装置の修理又は保守，配電用又は制御用の機械器具の修理又は保守，半導体製造装置の修理又は保守，プラスチック加工機械器具の修理又は保守，ボイラーの修理又は保守，ポンプの修理又は保守，ミシンの修理又は保守，民生用電気機械器具の修理又は保守，理化学機械器具の修理又は保守，冷凍機械器具の修理又は保守，運動用具の修理，おもちゃ又は人形の修理，家具の修理，傘の修理，ガス湯沸かし器の修理又は保守，楽器の修理又は保守，加熱器の修理又は保守，かばん類又は袋物の修理，金庫の修理又は保守，靴の修理，錠前の取付け又は修理，洗浄機能付き便座の修理，釣り具の修理，時計の修理又は保守，なべ類の修理又は保守，はさみ研ぎ及びほうちょう研ぎ，ビリヤード用具の修理，身飾品の修理，眼鏡の修理，遊技用器具の修理，浴槽類の修理又は保守，毛皮製品の手入れ又は修理，洗濯，畳類の修理，被服の修理，被服のプレス，布団綿の打直し，煙突の清掃，建築物の外壁の清掃，貯蔵槽類の清掃，窓の清掃，床敷物の清掃，床磨き，浴槽又は浴槽がまの清掃，電話機の消毒，有害動物の防除（農業・園芸又は林業に関するものを除く。），洗車機の貸与，電気洗濯機の貸与，土木機械器具の貸与，床洗浄機の貸与，モップの貸与，建築設備の運転の媒介又は取次ぎ，自転車の修理の媒介又は取次ぎ，自動車の修理又は整備の媒介又は取次ぎ，二輪自動車の修理又は整備の媒介又は取次ぎ，医療用機械器具の修理又は保守の媒介又は取次ぎ，映写機の修理又は保守の媒介又は取次ぎ，化学機械器具の修理又は保守の媒介又は取次ぎ，火災報知機の修理又は保守の媒介又は取次ぎ，ガソリンステーション用装置の修理又は保守の媒介又は取次ぎ，金属加工機械器具の修理又は保守の媒介又は取次ぎ，工業用炉の修理又は保守の媒介又は取次ぎ，栽培機械器具の修理又は保守の媒介又は取次ぎ，自動販売機の修理又は保守の媒介又は取次ぎ，写真機械器具の修理又は保守の媒介又は取次ぎ，浄水装置の修理又は保守の媒介又は取次ぎ，事務用機械器具の修理又は保守の媒介又は取次ぎ，製材用・木工用又は合板用の機械器具の修理又は保守の媒介又は取次ぎ，計測機械器具・分析機械器具・その他の測定機械器具の修理又は保守の媒介又は取次ぎ，暖冷房装置の修理又は保守の媒介又は取次ぎ，電子計算機（中央処理装置及び電子計算機用プログラムを記憶させた電子回路・磁気ディスクその他の周辺機器を含む。）の修理又は保守の媒介又は取次ぎ，廃棄物圧縮装置の修理又は保守の媒介又は取次ぎ，廃棄物破砕装置の修理又は保守の媒介又は取次ぎ，配電用又は制御用の機械器具の修理又は保守の媒介又は取次ぎ，半導体製造装置の修理又は保守の媒介又は取次ぎ，プラスチック加工機械器具の修理又は保守の媒介又は取次ぎ，ボイラーの修理又は保守の媒介又は取次ぎ，ポンプの修理又は保守の媒介又は取次ぎ，ミシンの修理又は保守の媒介又は取次ぎ，民生用電気機械器具の修理又は保守の媒介又は取次ぎ，理化学機械器具の修理又は保守の媒介又は取次ぎ，冷凍機械器具の修理又は保守の媒介又は取次ぎ，運動用具の修理の媒介又は取次ぎ，おもちゃ又は人形の修理の媒介又は取次ぎ，家具の修理の媒介又は取次ぎ，傘の修理の媒介又は取次ぎ，ガス湯沸かし器の修理又は保守の媒介又は取次ぎ，楽器の修理又は保守の媒介又は取次ぎ，加熱器の修理又は保守の媒介又は取次ぎ，かばん類又は袋物の修理の媒介又は取次ぎ，金庫の修理又は保守の媒介又は取次ぎ，靴の修理の媒介又は取次ぎ，錠前の取付け又は修理の媒介又は取次ぎ，洗浄機能付き便座の修理の媒介又は取次ぎ，釣り具の修理の媒介又は取次ぎ，時計の修理又は保守の媒介又は取次ぎ，なべ類の修理又は保守の媒介又は取次ぎ，はさみ研ぎ及びほうちょう研ぎの媒介又は取次ぎ及び保守，ビリヤード用具の修理の媒介又は取次ぎ，身飾品の修理の媒介又は取次ぎ，眼鏡の修理の媒介又は取次ぎ，遊技用器具の修理の媒介又は取次ぎ，浴槽類の修理又は保守の媒介又は取次ぎ，毛皮製品の手入れ又は修理の媒介又は取次ぎ，洗濯の媒介又は取次ぎ，畳類の修理の媒介又は取次ぎ，被服の修理の媒介又は取次ぎ，被服のプレスの媒介又は取次ぎ，布団綿の打直しの媒介又は取次ぎ，煙突の清掃の媒介又は取次ぎ，建築物の外壁の清掃の媒介又は取次ぎ，貯蔵槽類の清掃の媒介又は取次ぎ，窓の清掃の媒介又は取次ぎ，床敷物の清掃の媒介又は取次ぎ，床磨きの媒介又は取次ぎ，浴槽又は浴槽がまの清掃の媒介又は取次ぎ，電話機の消毒の媒介又は取次ぎ，有害動物の防除（農業・園芸又は林業に関するものを除く。）の媒介又は取次ぎ，洗車機の貸与の媒介又は取次ぎ，電気洗濯機の貸与の媒介又は取次ぎ，土木機械器具の貸与の媒介又は取次ぎ，床洗浄機の貸与の媒介又は取次ぎ，モップの貸与の媒介又は取次ぎ，建築設備の運転に関する情報の提供，自転車の修理に関する情報の提供，自動車の修理又は整備に関する情報の提供，二輪自動車の修理又は整備に関する情報の提供，医療用機械器具の修理又は保守に関する情報の提供，映写機の修理又は保守に関する情報の提供，化学機械器具の修理又は保守に関する情報の提供，火災報知機の修理又は保守に関する情報の提供，ガソリンステーション用装置の修理又は保守に関する情報の提供，金属加工機械器具の修理又は保守に関する情報の提供，工業用炉の修理又は保守に関する情報の提供，栽培機械器具の修理又は保守に関する情報の提供，自動販売機の修理又は保守に関する情報の提供，写真機械器具の修理又は保守に関する情報の提供，浄水装置の修理又は保守に関する情報の提供，事務用機械器具の修理又は保守に関する情報の提供，製材用・木工用又は合板用の機械器具の修理又は保守に関する情報の提供，計測機械器具・分析機械器具・その他の測定機械器具の修理又は保守に関する情報の提供，暖冷房装置の修理又は保守に関する情報の提供，電子計算機（中央処理装置及び電子計算機用プログラムを記憶させた電子回路・磁気ディスクその他の周辺機器を含む。）の修理又は保守に関する情報の提供，廃棄物圧縮装置の修理又は保守に関する情報の提供，廃棄物破砕装置の修理又は保守に関する情報の提供，配電用又は制御用の機械器具の修理又は保守に関する情報の提供，半導体製造装置の修理又は保守に関する情報の提供，プラスチック加工機械器具の修理又は保守に関する情報の提供，ボイラーの修理又は保守に関する情報の提供，ポンプの修理又は保守に関する情報の提供，ミシンの修理又は保守に関する情報の提供，民生用電気機械器具の修理又は保守に関する情報の提供，理化学機械器具の修理又は保守に関する情報の提供，冷凍機械器具の修理又は保守に関する情報の提供，運動用具の修理に関する情報の提供，おもちゃ又は人形の修理に関する情報の提供，家具の修理に関する情報の提供，傘の修理に関する情報の提供，ガス湯沸かし器の修理又は保守に関する情報の提供，楽器の修理又は保守に関する情報の提供，加熱器の修理又は保守に関する情報の提供，かばん類又は袋物の修理に関する情報の提供，金庫の修理又は保守に関する情報の提供，靴の修理に関する情報の提供，錠前の取付け又は修理に関する情報の提供，洗浄機能付き便座の修理に関する情報の提供，釣り具の修理に関する情報の提供，時計の修理又は保守に関する情報の提供，なべ類の修理又は保守に関する情報の提供，はさみ研ぎ及びほうちょう研ぎの情報の提供，ビリヤード用具の修理に関する情報の提供，身飾品の修理に関する情報の提供，眼鏡の修理に関する情報の提供，遊技用器具の修理に関する情報の提供，浴槽類の修理又は保守に関する情報の提供，毛皮製品の手入れ又は修理に関する情報の提供，洗濯に関する情報の提供，畳類の修理に関する情報の提供，被服の修理に関する情報の提供，被服のプレスに関する情報の提供，布団綿の打直しに関する情報の提供，煙突の清掃に関する情報の提供，建築物の外壁の清掃に関する情報の提供，貯蔵槽類の清掃に関する情報の提供，窓の清掃に関する情報の提供，床敷物の清掃に関する情報の提供，床磨きに関する情報の提供，浴槽又は浴槽がまの清掃に関する情報の提供，電話機の消毒に関する情報の提供，有害動物の防除（農業・園芸又は林業に関するものを除く。）に関する情報の提供，洗車機の貸与に関する情報の提供，電気洗濯機の貸与に関する情報の提供，土木機械器具の貸与に関する情報の提供，床洗浄機の貸与に関する情報の提供，モップの貸与に関する情報の提供」に補正されたものである。
　
２．引用商標
　当審において新たな拒絶の理由として引用した登録第３０６０３３１号商標は、別掲に表示したとおりの構成よりなり、第３７類「管工事，電気工事，電気通信工事」を指定役務として平成４年９月２９日に登録出願、同７年７月３１日に設定登録されたものである。
　
３．当審の判断
　上記補正の結果、本願商標の指定役務は、引用商標の指定役務と同一又は類似の役務について、すべて削除されたものと認め得るところである。
　そうすると、本願商標と引用商標とは、商標の類否について論ずるまでもなく、指定役務において互いに抵触しないものとなったから、本願商標は、商標法第４条第１項第１１号に該当しないものとなった。
　その他、本願について拒絶すべき理由を発見しない。
　よって、結論のとおり審決する。